(57)【要約】      （修正有）【課題】１０本以上の多数本の毛髪をネットの一つの網目に結び付けることで、ウィッグの製作時間や製作コストを低減し、且つ、結びが強く解けにくく、ボリューム感を出しつつ自然な外観を保つことができるウィッグを提供する。【解決手段】ウィッグは、ベースとなるネット１の一つの網目に複数本の毛髪を結びつけたウィッグであって、ネットの一つの網目に結び付ける毛髪の本数は、つむじを含む頭頂部近傍においては１０本以上３０本以下であり、頭頂部以外においては３５本以上７０本以下であることを特徴とする。【選択図】図１
0003218182.tif 000002
【実用新案登録請求の範囲】
【請求項１】
ベースとなるネットの一つの網目に複数本の毛髪を結びつけたウィッグであって、
上記ネットの一つの網目に結び付ける毛髪の本数は、
つむじを含む頭頂部近傍においては１０本以上３０本以下であり、
頭頂部以外においては３５本以上７０本以下である
ことを特徴とするウィッグ。
【請求項２】
上記毛髪は、形状記憶性を有する人工毛を主とするものである
ことを特徴とする請求項１に記載のウィッグ。
【請求項３】
上記一つの網目に複数本の毛髪を結びつけたネットの頭部当接側に、さらにベース地を設けた
ことを特徴とする請求項１または２に記載のウィッグ。
【考案の詳細な説明】
【技術分野】
【０００１】
本考案は、ウィッグに関するものであり、特に、ネットの一つの網目に多数本の毛髪を結び付けたウィッグに関するものである。
【背景技術】
【０００２】
ウィッグは、装着者の頭部を覆うベースとなるネットの網目に毛髪を結び付けることで製作される。ネットの一つの網目に結び付けられる毛髪の本数は、１本から数本であり、ウィッグの装着目的等により、最適な本数で結び付けされる。この結び方は様々であり、それぞれが短所や長所を有している。結び方で重要な要件は、結びやすいことや、解けにくいこと、結ぶ際にネットに損傷を与えないこと、結ぶ際に毛髪に大きな張力が掛かることで縮れ毛が生じないこと等である（例えば、特許文献１）。
【先行技術文献】
【特許文献】
【０００３】
【特許文献１】特開２０１５−２０９６２４
【考案の概要】
【考案が解決しようとする課題】
【０００４】
特許文献１に開示された結び方は、ネットの一つの網目に１本から数本の毛髪を結び付ける際に適した手法である。しかし、多数本、例えば１０本以上の毛髪を結び付ける際には、必ずしも適切な手法ではない。ネットの一つの網目に多数本の毛髪を結び付けると、結びは弱くなり、解けやすくなるからである。
【０００５】
また、ネットの一つの網目に多数本の毛髪を結び付けると、ボリューム感が得られやすいが、一方で不自然に感じられ、ウィッグ感が出てしまう場合がある。
このような課題があることから、ネットの一つの網目に結び付けられる毛髪は、せいぜい８本程度であった。
【０００６】
本考案は、１０本以上の多数本の毛髪をネットの一つの網目に結び付けることで、ウィッグの製作時間や製作コストを低減し、且つ、上記に述べた諸課題を解決したウィッグを提供するものである。
【課題を解決するための手段】
【０００７】
本考案に係るウィッグは、
ベースとなるネットの一つの網目に複数本の毛髪を結びつけたウィッグであって、
上記ネットの一つの網目に結び付ける毛髪の本数は、
つむじを含む頭頂部近傍においては１０本以上３０本以下であり、
頭頂部以外においては３５本以上７０本以下であることを特徴とするものである。
【０００８】
上記毛髪は、形状記憶性を有する人工毛を主とするものであることを特徴とするものである。
【０００９】
上記一つの網目に複数本の毛髪を結びつけたネットの頭部当接側に、さらにベース地を設けたことを特徴とする特徴とするものである。
【考案の効果】
【００１０】
これまで、ネットの一つの網目に多数本の毛髪を結びつけることは困難であるとされてきた。
その第１の理由は、過度のボリューム感が得られるため、不自然さが目立ち、ウィッグ感が出てしまうと考えられてきたためである。
第２の理由は、多数本をまとめてネットの一つの網目に結び付けると、強く結ぶことができず、直ぐに解けてしまうと考えられてきたためである。
【００１１】
しかしながら、過度のボリューム感により不自然さが目立つ箇所は、主につむじを含む頭頂部近傍であり、その他の個所はボリューム感があっても不自然な感じを与えないことが分かった。また、頭頂部近傍も、ネットの一つの網目に結び付ける本数がある程度の本数までは、自然な外観を維持できることが分かった。
【００１２】
また、毛髪として形状記憶性を有する人工毛を主として使用することで、網目から解けにくくできる手法を新たに開発した。さらに、強く結んでも、多数本がまとまった太い状態でネットに当接するため、結ぶ際に大きな張力が生じても、張力は広い当接面積に分散しネットへの損傷が生じにくい。したがって、通常よりも強く結ぶことが可能であり、形状記憶処理を行うことと併せて、実用上十分な解けにくい状態で結束できる。すなわち、解けやすいという、これまでの既成概念を打破することができた。
これらの新たな知見により、多くの優れた特長を持つウィッグを提供できるようになった。以下に、このウィッグの特長を列挙する。
【００１３】
第一に、これまででは考えられなかった多くの本数の毛髪をネットの一つの網目に結び付けることが可能となり、ウィッグの製作時間とコストを大幅に低減することに成功した。
【００１４】
第二に、ネットの一つの網目に結び付ける本数を頭頂部近傍においては、他部位よりも少なくすることで、ボリューム感を出しつつ、自然な外観を保つことが可能となった。
【００１５】
第三に、カールしやすく、且つカールが取れにくいウィッグを得ることができた。
【００１６】
第四に、多数本の毛髪をまとめて結ぶため、結び付けの際に強く結んでも、１本の毛髪に掛かる張力は小さく、したがって、ロングヘア―のウィッグであっても、縮れ毛が出にくく、高品質の毛質を得ることが可能になった。
【００１７】
第五に、多数本の毛髪をまとめて結ぶと結び目が大きくなり、装着時に結び目が頭部に当たる場合があるが、一つの網目に複数本の毛髪を結びつけたネットの頭部当接側に、さらにベース地を設けることで、このような装着時の違和感を完全に解消することができた。
【図面の簡単な説明】
【００１８】
【図１】本発明に係るウィッグのベース部分を正面から見た模式図である。
【考案を実施するための形態】
【００１９】
実施の形態．
＜ウィッグの構成＞
本考案に係るウィッグの構成に関して、以下において図１を用いて説明する。なお、以下の説明は本考案に関する良好な一例を開示するものであり、本考案が当該実施の形態に限定されるものではない。
【００２０】
本実施の形態に係るウィッグは、ベースとなるネット１の一つの網目に複数本の毛髪を結びつけたウィッグであって、上記ネットの一つの網目に結び付ける毛髪の本数は、つむじを含む頭頂部近傍２においては１０本以上３０本以下であり、頭頂部以外３においては３５本以上７０本以下であることを特徴としている。
【００２１】
また、上記毛髪は、形状記憶性を有する人工毛を主とするものであることが望ましい。
【００２２】
さらに、一つの網目に複数本の毛髪を結びつけたネット１の頭部当接側に、さらにベース地４を設けることで装着感を向上できる。
【００２３】
本考案において頭頂部とは、つむじを含む頭のてっぺん（頭頂）の近傍であり、頭頂の近傍から前髪部に至る部位を意味する。
【００２４】
本考案において形状記憶性を有する人工毛とは、６０℃以上に加温後に冷却し、安定に形状を保つ人工毛を意味する。例えば、雨に濡れても形状を保つできる程度の安定な形状記憶性を有する人工毛である。耐熱形状記憶毛髪と呼ばれ、いくつかの細いファイバーを組み合せて１本の毛髪に仕上げた人工毛等が、代表的な形状記憶性を有する人工毛である。
【００２５】
＜ウィッグの作製＞
次にウィッグの作製方法について、要点を説明する。
まず、所定の本数の毛髪を束ねて、専用工具を用いて、ネット１の網目に通し、隣接する網目から元の方向に戻し、強く結ぶ。１本から数本を結ぶ場合に比べて、やや強い力で結ぶ。毛髪は多数本が束ねられて太い状態になっているため、結ぶ際に大きな張力が生じても、張力は広い当接面積に分散しネットへの損傷が生じることはない。
【００２６】
同様の作業をネット全体に対して行い、最後に全体を６０℃から８０℃で１分程度熱した後、自然冷却した。この形状記憶処理により、毛髪の結び目は結んだ状態で形状記憶され、ネット１の網目から解けにくい状態になる。
【００２７】
次に、ネット１の一つの網目に結び付ける毛髪の最適な本数を決めるための検証実験を行った。
毛髪は、耐熱形状記憶毛髪を用い、その毛髪の１本の太さは、約７０μｍから８０μｍであり、ほぼ日本人の平均的な毛髪の太さである。なお、検証実験１では、比較のために、人毛を使用したウィッグも作製した。
【００２８】
＜検証実験１＞
ネット１の一つの網目に結び付ける毛髪の本数を変えた複数のウィッグを作製した。本数は、５本から９０本まで５本ごとに変えた１８通りのウィッグを作製した。また、毛髪は、耐熱形状記憶毛髪と人毛の２種を用い、いずれにも上述した形状記憶処理を行った。
【００２９】
ネット１を固定した状態で、ネット１の一つの網目に結び付けた一束の毛髪を約５００ｇ重の力でネット１から垂直に引き、一束の毛髪が抜けたり、結び目が損傷を受けたりした場合を不良とした。そして、全体の毛髪の束数で除算し、それを不良率とした。
【００３０】
【表１】
0003218182.tif 000003
【００３１】
表１に示すように、一束の本数が多くなるほど不良率は増加した。人毛においては、６５本以上で不良率が急増し、１％を超えた。一方、耐熱形状記憶毛髪においては、７０本まで低い不良率を維持できた。
【００３２】
耐熱形状記憶毛髪に形状記憶処理を行うことで、結び目が解けにくく、一束が７０本までは十分に強い結束が可能であることが分かった。
なお、形状記憶性を有する人工毛であれば、耐熱形状記憶毛髪に限らず、ほぼ同様の傾向を示すことも別の実験で確認した。さらに、一束に、形状記憶性を有する人工毛と人毛を混合した場合には、形状記憶性を有する人工毛の混合率が５０％以上であれば、同様に良好な結果が得られることも確認した。
【００３３】
＜検証実験２＞
次に、一束の本数を変えた場合に、外観の自然さがどのように変化するかについて検証実験を行った。
検証は、モデルが１束の本数を変えたウィッグを順に装着し、ウィッグの装着感を男女各２５名（年齢は２０代から４０代）が評価する。ウィッグの装着感が自然であると回答した比率を評価値とした。
【００３４】
【表２】
0003218182.tif 000004
【００３５】
表２に結果を示す。頭頂部に関しては、３０本以下では高い評価であり、３５本以上で評価が大きく下がり始めた。一方、それ以外の部位に関しては、７０本以下では高い評価であり、７５本以上で評価が大きく下がり始めた。
＜検証実験３＞
【００３６】
上述した製作方法で作製したウィッグをオーブン等でカールを施した。一束の本数を変えた場合に、カールの束感が一定期間に渡り良好に維持されるかについて検証実験を行った。
検証方法は、女性５０名（年齢は２０代から４０代）が１か月間装着し、装着後にカールの束感が良好に維持されたかについて評価した。良好に維持されたと回答した比率を評価値とした。
【００３７】
【表３】
0003218182.tif 000005
表３に結果を示す。２０本以上では高い評価であり、１５本以下で評価が大きく下がり始めた。
＜検証実験４＞
【００３８】
最後にウィッグ製作後に縮れの発生率について検証した。一束の毛髪で明らかな縮れが発生しているものを不良とし、不良束数を全束数で除算したものを評価値とした。
【００３９】
【表４】
0003218182.tif 000006
【００４０】
表４に示すように、３０本以上では縮れ発生率は０．７％以下と低かった。また、１０本以上でも、縮れ発生率は１．３％以下と比較的低い値を示した。
【００４１】
＜検証実験からの判断＞
以上の検証実験の結果から、最適な一束の本数を以下の手順で決定した。
検証実験１より、一束の本数は７０本以下が望ましい。
検証実験２より、一束の本数は頭頂部は３０本以下、それ以外の部位は７０本以下が望ましい。
検証実験３より、一束の本数は２０本以上が望ましい。
検証実験４より、一束の本数は３０本以上が望ましい。
【００４２】
以上より、頭頂部以外の部位は３０本以上７０本以下が望ましいと判断できる。一方、頭頂部に関しては、外観の自然さを最も考慮して、３０本以下が望ましいと判断した。そして、縮れに関して最低限の良好さを保つため、１０本以上とした。
【００４３】
＜本発明のまとめ＞
本発明は、ネットの一つの網目に多数本の毛髪を結びつけることは困難であると考えられてきた既成概念への挑戦であり、まず、なぜ困難であると考えられてきたかの分析から始まった。
【００４４】
その第１の理由は、過度のボリューム感が得られるため、不自然さが目立ち、ウィッグ感が出てしまうと考えられてきたためである。
第２の理由は、多数本をまとめてネットの一つの網目に結び付けると、強く結ぶことができず、直ぐに解けてしまうと考えられてきたためである。
【００４５】
しかしながら、過度のボリューム感により不自然さが目立ち箇所は、主につむじを含む頭頂部近傍であり、その他の個所はボリューム感があっても不自然な感じを与えないことが分かった。また、頭頂部近傍も、ネットの一つの網目に結び付ける本数がある程度の本数までは、自然な外観を維持できることが分かった。
【００４６】
また、毛髪として形状記憶性を有する人工毛を主として使用することで、網目から解けにくくできる手法を新たに開発した。さらに、強く結んでも、多数本がまとまった太い状態でネットに当接するため、結ぶ際に大きな張力が生じても、張力は広い当接面積に分散しネットへの損傷が生じにくい。したがって、通常よりも強く結ぶことが可能であり、形状記憶処理を行うことと併せて、実用上十分な解けにくい状態で結束できる。すなわち、解けやすいという、これまでの既成概念を打破することができた。
これらの新たな知見により、多くの優れた特長を持つウィッグを提供できるようになった。以下に、このウィッグの特長を列挙する。
【００４７】
第一に、これまででは考えられなかった多くの本数の毛髪をネットの一つの網目に結び付けることが可能となり、ウィッグの製作時間とコストを大幅に低減することに成功した。
【００４８】
第二に、ネットの一つの網目に結び付ける本数を頭頂部近傍においては、他部位よりも少なくすることで、ボリューム感を出しつつ、自然な外観を保つことが可能となった。
【００４９】
第三に、カールしやすく、且つカールが取れにくいウィッグを得ることができた。
【００５０】
第四に、多数本の毛髪をまとめて結ぶため、結び付けの際に強く結んでも、１本の毛髪に掛かる張力は小さく、したがって、ロングヘア―のウィッグであっても、縮れ毛が出にくく、高品質の毛質を得ることが可能になった。
【００５１】
第五に、多数本の毛髪をまとめて結ぶと結び目が大きくなり、装着時に結び目が頭部に当たる場合があるが、一つの網目に複数本の毛髪を結びつけたネットの頭部当接側に、さらにベース地を設けることで、このような装着時の違和感を完全に解消することができた。
【符号の説明】
【００５２】
１  ネット
２  頭頂部の毛髪
３  頭頂部以外の部位の毛髪
４  ベース地
【図１】
0003218182.tif 000007